(57)【要約】      （修正有）【課題】電波法で定められている電界強度を遵守し、所望の周波数の信号に適応的に変換する高周波回路及び高周波信号変換方法を提供する。【解決手段】高周波回路は、周波数変換部４，６、利得制御部５、レベル検出部９を具備する。前記周波数変換部４は、複数チャンネル配列されたＲＦ信号の中から希望するチャンネルの信号を選択して、前記ＲＦ信号を前記ＲＦ信号の周波数よりも低く且つ前記ＲＦ信号の周波数の略１チャンネルあたりの帯域幅に相当する帯域幅のＩＦ信号に周波数変換する。前記周波数変換部６は、前記ＩＦ信号を前記ＩＦ信号の周波数よりも高いＲＦ周波数の信号に周波数変換する。前記利得制御部５は、少なくとも前記ＲＦ信号または前記ＩＦ信号のいずれか１つの利得を調整する。前記レベル検出部９は、前記周波数変換部６の出力信号の強度を検出し、前記周波数変換部６の出力信号の強度を略一定に調整するように前記利得制御部５を制御する。【選択図】図１
2012015814.tif 000002
【特許請求の範囲】
【請求項１】
アナログ変調またはデジタル変調されたＲＦ信号であって、複数チャンネル配列された前記ＲＦ信号の中から希望するチャンネルの信号を選択して、前記ＲＦ信号を前記ＲＦ信号の周波数よりも低く且つ前記ＲＦ信号の周波数の略１チャンネルあたりの帯域幅に相当する帯域幅のＩＦ信号に周波数変換して出力する第一の周波数変換部と、
入力された前記ＩＦ信号を前記ＩＦ信号の周波数よりも高いＲＦ周波数の信号に周波数変換して出力する第二の周波数変換部と、
少なくとも前記ＲＦ信号または前記ＩＦ信号のいずれか１つの利得を調整する利得制御部と、
前記第二の周波数変換部からの出力信号の強度を検出し、この検出結果に基づいて前記第二の周波数変換部からの出力信号の強度を略一定に調整するように前記利得制御部を制御するレベル検出部と、
を具備する高周波回路。
【請求項２】
前記第二の周波数変換部から入力された信号を第一および第二の出力信号に分配し、前記第一の出力信号を送信アンテナに入力し、前記第二の出力信号を前記レベル検出部に入力する出力信号分配部を具備し、
前記レベル検出部は、前記第二の出力信号の強度を検出し、この検出結果に基づいて前記利得制御部を制御し、
前記利得制御部は、前記レベル検出器による制御に基づいて、前記第二の出力信号の強度を略一定に調整すると共に、前記第一の出力信号の強度も略一定に調整する、
請求項１に記載の高周波回路。
【請求項３】
入力された前記ＲＦ信号を増幅する広帯域高周波増幅部と、
前記広帯域高周波増幅部の出力信号を分配して複数の広帯域分配出力信号を複数の前記第一の周波数変換部それぞれに入力する第一の広帯域分配部とを具備し、
複数の前記第一の周波数変換部それぞれは、互いに異なるチャンネルの前記ＲＦ信号を前記ＩＦ信号に周波数変換し、
複数の前記第二の周波数変換部それぞれは、前記ＩＦ信号を互いに異なる周波数の信号に周波数変換して出力する、
請求項１または２に記載の高周波回路。
【請求項４】
前記ＲＦ信号を分配して広帯域分配出力信号を前記第一の周波数変換部及びテレビジョン受信機に入力する第二の広帯域分配部を具備する、
請求項１乃至３のいずれか１項に記載の高周波回路。
【請求項５】
複数の前記第二の周波数変換部からの互いに異なる周波数の信号を混合して出力する送信信号混合部を具備する、
請求項３または４に記載の高周波回路。
【請求項６】
前記ＲＦ信号の周波数は９０ＭＨｚ乃至７７０ＭＨｚのテレビジョン信号であり、前記第二の周波数変換部からの出力信号の周波数は３２２ＭＨｚ以下である請求項１乃至５のいずれか１項に記載の高周波回路。
【請求項７】
アナログ変調またはデジタル変調されたＲＦ信号であって、複数チャンネル配列された前記ＲＦ信号を入力し、
入力された前記ＲＦ信号の中から希望するチャンネルの信号を選択して、前記ＲＦ信号を前記ＲＦ信号の周波数よりも低く且つ前記ＲＦ信号の周波数の略１チャンネルあたりの帯域幅に相当する帯域幅のＩＦ信号に第１の周波数変換をして出力し、
前記ＩＦ信号を前記ＩＦ信号の周波数よりも高いＲＦ周波数の信号に第２の周波数変換をして出力し、
前記第２の周波数変換された信号の強度を検出し、
この検出結果に基づいて、前記第２の周波数変換された信号の強度を略一定に調整する、
高周波信号変換方法。
【発明の詳細な説明】
【技術分野】
【０００１】
本発明の実施形態は、入力した信号を適応的に他の周波数の信号に変換する高周波信号変換技術に関する。
【背景技術】
【０００２】
近年、ワンセグによるテレビ機能を付加した携帯端末が増加している。このような携帯端末は、地上デジタル放送用の放送信号を無線で直接受信する。このような携帯端末に限らず、無線によって放送信号を受信するタイプの液晶テレビを家庭内で複数使用するケースが増えている。
【０００３】
例えば地上デジタル放送用の放送信号は、高周波数であるため、減衰しやすい。地上デジタル放送用の放送信号の周波数範囲は、ＵＨＦ（Ultra High Frequency）帯における４７０ＭＨｚ〜７７０ＭＨｚである。そのため、ユーザが、家庭内で携帯端末を用いて直接放送信号を受信しようとした場合、電波強度の劣化により、受信し難い場合も起こり得る。そのため、受信した放送信号を増幅して再送信する高周波信号伝送装置が普及してきている。
【先行技術文献】
【特許文献】
【０００４】
【特許文献１】特開２００２−２５２７９０号公報
【発明の概要】
【発明が解決しようとする課題】
【０００５】
電波法では、免許不要で高周波信号伝送装置を用いて放送信号を再送信する場合、周波数に応じて放送信号の電界強度の上限が定められている。したがって、高周波信号伝送装置は、電波法を遵守した上で放送信号を増幅して再送信する必要がある。また地上デジタル放送用の受信アンテナで受信した放送信号の強度は、チャンネルにより異なる場合がある。したがって、高周波信号伝送装置が強度に差がある複数のチャンネルの放送信号を増幅したり、周波数変換したりする場合、出力信号の強度にも差が生じる。
【０００６】
そのため、高周波信号伝送装置は、強度が最も強いチャンネルの放送信号に基づく出力信号の電界強度を電波法の規制上限に設定すると、その他のチャンネルの放送信号に基づく出力信号の電解強度が相対的に低く設定することになる。結果として、高周波信号伝送装置からの出力信号を受信する携帯端末は、ワイヤレス伝送における受信信号の受信品位を損なう。そのため、高周波信号伝送装置は、最終的な出力信号の強度をチャンネルによらず適切に調整する必要がある。また、デジタル放送用の放送信号とアナログ放送用の放送信号が混在している場合、デジタル放送用の放送信号の強度とアナログ放送用の放送信号の強度は異なる。したがって、高周波信号伝送装置は、放送信号がデジタルかアナログかにかかわらず、その強度を適切に調整する必要がある。これと共に、高周波信号伝送装置は、放送信号を周波数変換する際の局部発振周波数も電波法を遵守するように設定する必要がある。
【０００７】
そこで、この発明は、電波法で定められている電界強度を遵守しつつ、所望の周波数の信号に適応的に変換する高周波回路及び高周波信号変換方法を提供することを目的とする。
【課題を解決するための手段】
【０００８】
実施形態によれば、高周波回路は、第一の周波数変換部と、第二の周波数変換部と、利得制御部と、レベル検出部とを具備する。前記第一の周波数変換部は、アナログ変調またはデジタル変調されたＲＦ信号であって、複数チャンネル配列された前記ＲＦ信号の中から希望するチャンネルの信号を選択して、前記ＲＦ信号を前記ＲＦ信号の周波数よりも低く且つ前記ＲＦ信号の周波数の略１チャンネルあたりの帯域幅に相当する帯域幅のＩＦ信号に周波数変換して出力する。前記第二の周波数変換部は、入力された前記ＩＦ信号を前記ＩＦ信号の周波数よりも高いＲＦ周波数の信号に周波数変換して出力する。前記利得制御部は、少なくとも前記ＲＦ信号または前記ＩＦ信号のいずれか１つの利得を調整する。前記レベル検出部は、前記第二の周波数変換部からの出力信号の強度に応じた信号の強度を検出し、この検出結果に基づいて前記第二の周波数変換部からの出力信号の強度を略一定に調整するように前記利得制御部を制御する。
【図面の簡単な説明】
【０００９】
【図１】第一の実施形態に係る高周波信号伝送装置を示すブロック図。
【図２】電波法上免許不要とされる微弱無線局の電界強度を示すグラフ。
【図３】第二の実施形態に係る高周波信号伝送装置を示すブロック図。
【図４】第三の実施形態に係る高周波信号伝送装置を示すブロック図。
【図５】第四の実施形態に係る高周波信号伝送装置を示すブロック図。
【図６】第四の実施形態に係る高周波信号伝送装置の他の例を示すブロック図。
【図７】第五の実施形態に係る高周波信号伝送装置を示すブロック図。
【図８】第五の実施形態に係る高周波信号伝送装置の他の例を示すブロック図。
【発明を実施するための最良の形態】
【００１０】
以下、図面を参照して本実施形態について説明する。図１は、第一の実施形態に係る高周波信号伝送装置の構成を示すブロック図である。高周波信号伝送装置は、高周波回路部１と送信アンテナ１８を備える。高周波回路部１は、ＴＶ（television）放送信号のようにアナログ変調またはデジタル変調されたＲＦ（Radio Frequency:無線信号の周波数）信号であって、複数チャンネル配列されたＲＦ９０〜７７０ＭＨｚのＲＦ信号を入力部２から入力する。利得制御部３は、ＲＦ信号を増幅または減衰した後、第一の周波数変換部４に入力する。
【００１１】
第一の周波数変換部４は、入力されたＲＦ信号と第一の局部発振部１０の信号とを混合する。第一の周波数変換部４は、第一の局部発振部１０の周波数を適切に設定することによって、希望するチャンネルのＲＦ信号のみを周波数変換する。第一の周波数変換部４は、ＲＦ信号を、例えば、中心周波数が４４ＭＨｚで１チャンネルあたりの帯域幅に相当する６ＭＨｚの帯域幅のＩＦ（Intermediate Frequency:中間周波数）フィルタ（図示せず）を通過させ、その他のチャンネルを抑圧する。つまり、第一の周波数変換部４は、希望するチャンネルのＲＦ信号が常に一定周波数のＩＦ信号になるよう周波数変換する。
【００１２】
第一の周波数変換部４から出力されたＩＦ信号は、可変利得増幅器などの利得制御部５で増幅または減衰した後、第二の周波数変換部６に入力される。第二の周波数変換部６は、入力されたＩＦ信号と第二の局部発振部１１の信号とを混合する。第二の周波数変換部６は、第二の局部発振部１１の周波数を適切に設定することによって、ＩＦ信号を希望する周波数の信号に周波数変換する。そして、第二の周波数変換部６は、出力信号を出力部８に出力する。出力部８は、第二の周波数変換部６で周波数変換された出力信号を送信アンテナ１８に出力する。
【００１３】
ここで、第二の周波数変換部６により周波数変換された出力信号の周波数及び第二の局部発振部１１の周波数は、３３２ＭＨｚ以下となるように設計されている。このように設計されている理由について説明する。図２は、電波法上免許不要とされる微弱無線局の電界強度を示すグラフである。送信アンテナ１８から３メートルの距離における送信信号の電界強度がグラフに示された強度よりも低ければ、電波法上、無線局（第一の実施形態に係る高周波信号伝送装置）の免許は不要とされている。送信アンテナ１８からの送信信号の周波数が３２２ＭＨｚ以下の場合、電界強度は５００μＶ／ｍ  以下と高い。一方、送信信号の周波数が３２２ＭＨｚより上で１０ＧＨｚ付近までの場合、電界強度は３５μＶ／ｍ  以下と低い。
【００１４】
第一の実施形態に係る高周波信号伝送装置は、遠く離れて位置する図示しない形態端末などの受信装置が送信信号を受信できるように、可能な限り高い電界強度で送信信号を送信する必要がある。そのため、第一の実施形態に係る高周波信号伝送装置は、送信信号の電界強度が３メートルの距離で５００μＶ／ｍ  以下となるように送信信号の周波数を設定する必要がある。したがって、第二の局部発振部１１の信号の周波数は、３３２ＭＨｚ以下で実現される必要がある。例えば、ＩＦ周波数が４４ＭＨｚで、送信周波数を３０３．１４３ＭＨｚに設定する場合は、第二の局部発振部１１の周波数は、３０３．１４３−４４＝２５９．１４３ＭＨｚに設定することができる。
【００１５】
レベル検出部９は、送信アンテナ１８から送信される送信信号の電界強度が３メートルの距離で５００μＶ／ｍ  以下となるように、利得制御部３及び利得制御部５を制御する。つまり、レベル検出部９は、出力部８から出力される出力信号の強度が送信アンテナ１８から３メートルの距離で送信信号の電界強度が５００μＶ／ｍ  以下となるように設定された情報（設定強度情報と称す）を保持している。レベル検出部９は、出力部８における出力信号の強度（信号レベル）をモニタする。レベル検出部９は、出力部８における出力信号の強度が設定強度情報と同じ値にあるように、利得制御部３及び利得制御部５を制御する。したがって、レベル検出部９は、入力部２から入力されるＲＦ信号の強度に依存せず、出力信号の強度を適正な略一定値（アンテナ１８から３メートルの距離で送信信号の電界強度が５００μＶ／ｍ  以下となるような値）となるように自動制御できる。なお、レベル検出部９は、高周波回路部１からの出力信号の強度を調整するために、利得制御部３及び利得制御部５のどちらを主に制御してもよい。
【００１６】
ここで、第一の周波数変換部４についてさらに説明する。図１に示す高周波回路部１は、１つの第一の周波数変換部４と１つの第一の局部発振部１０とを組み合わせて一定周波数に変換するスーパー・ヘテロダイン方式である。高周波回路部１は、この方式にとらわれることなく、ダブル・スーパー・ヘテロダイン方式で周波数変換しても良いし、ＲＦ信号を直接直交検波した後に周波数変換してもデジタル回路でＩＦ信号を生成しても良い。
【００１７】
また、上記では、ＩＦが４４ＭＨｚの例を示したがこれに限られない。高周波回路部１は、アナログ放送受信用テレビ受信機のＩＦである略３０〜６０ＭＨｚ付近のＩＦを利用しても良い。さらに、高周波回路部１は、Ｌｏｗ−ＩＦと呼ばれる略４ＭＨｚ〜１０ＭＨｚのＩＦを使用しても良い。さらに、高周波回路部１は、もしくは直交検波してＺｅｒｏ−ＩＦを使用しても良い。
【００１８】
また、利得制御部３及び利得制御部５についてさらに説明する。利得制御の目的の一つは、上記に述べたとおり、送信アンテナ１８から３メートルの距離で送信信号の電界強度を規定値以下の適正な略一定値に保つことである。もう一つの目的は、図１に示す利得制御部３、第一の周波数変換部４、利得制御部５、第二の周波数変換部６などの回路における非線形歪を抑圧するために各ステージへの過大な信号入力を避けることである。したがって、レベル検出部９は、複数のステージでの信号の強度を検出して該当ステージ毎に信号の強度を適正化する方法を用いても良い。また、レベル検出部９は、出力部８での出力信号の強度を検出して総合的に信号の強度を適正化する方法を用いても良い。さらに、レベル検出部９は、両者を組み合わせて適用する方法を用いても良い。
【００１９】
第一の実施形態によれば、高周波回路部１は２段階で周波数変換するので、９０ＭＨｚ〜７７０ＭＨまで、全てのチャンネルのＲＦ信号について同一の構成で伝送可能となる。高周波回路部１は、高周波回路部１からの出力信号の強度をチャンネル毎に制御するので、チャンネルによってＲＦ信号の強度に差がある場合であっても、全てのチャンネルについて略一定値で出力信号を出力できる。したがって、高周波信号伝送装置は、ワイヤレス伝送の受信品位を高めることができる。高周波回路部１は、高周波回路部１からの出力信号の強度を電波法に遵守しつつ、入力部２から入力されるＲＦ信号の強度に依存せず、適正な一定値に制御できると共に、第二局部発振１１の周波数も３２２ＭＨｚ以下に設定することが可能となる。
【００２０】
図３は、第二の実施形態に係る高周波信号伝送装置の構成を示すブロック図である。先に説明した構成と同様の構成については、同一番号を付して説明を省略する。高周波信号伝送装置は、高周波回路部１、送信アンテナ１８を備える。高周波回路部１は、さらに出力信号分配器７を備える。
【００２１】
出力信号分配部７は、第二の周波数変換部６からの出力信号が入力される。出力信号分配部７は、第二の周波数変換部６からの出力信号を第一の出力信号及び第二の出力信号に分配して出力する。第一の出力信号は、出力部８を経由して送信アンテナ１８に入力される。送信アンテナ１８は、第一の出力信号に基づいて送信信号を送信する。第二の出力信号は、レベル検出部９に入力される。
【００２２】
レベル検出部９は、入力された第二の出力信号の強度（レベル）を検出する。レベル検出部９は、第二の出力信号の強度の強弱に応じた制御電圧または制御信号を利得制御部３及び利得制御部５に出力する。利得制御部３及び利得制御部５は、レベル検出器９から出力された制御電圧または制御信号に基づき、第二の出力信号の強度を適正な略一定値に調整する。これと同時に、利得制御部３及び利得制御部５は、第一の出力信号すなわち出力部８の出力信号も適正な一定値に調整する。第二の実施形態によれば、第一の実施形態と同様の効果を奏する。
【００２３】
図４は、第三の実施形態に係る高周波信号伝送装置の構成を示すブロック図である。先に説明した構成と同様の構成については、同一番号を付して説明を省略する。高周波信号伝送装置は、高周波回路部１、入力部１２、広帯域高周波増幅部１３、広帯域分配部１５、送信アンテナ１８、高周波回路部１０１、送信アンテナ１１８を備える。
【００２４】
高周波回路部１及び送信アンテナ１８は、図２に示す第二の実施形態で説明した通りである。高周波回路部１０１は、入力部１０２、利得制御部１０３、第一の周波数変換部１０４、利得制御部１０５、第二の周波数変換部１０６、出力信号分配器１０７、出力部１０８、レベル検出部１０９、第一の局部発振部１１０、第二の局部発振部１１１を備える。入力部１０２、利得制御部１０３、第一の周波数変換部１０４、利得制御部１０５、第二の周波数変換部１０６、出力信号分配器１０７、出力部１０８、レベル検出部１０９、第一の局部発振部１１０、第二の局部発振部１１１それぞれは、入力部２、利得制御部３、第一の周波数変換部４、利得制御部５、第二の周波数変換部６、出力信号分配器７、出力部８、レベル検出部９、第一の局部発振部１０、第二の局部発振部１１と同様の構成である。送信アンテナ１１８は、送信アンテナ１８と同様の構成である。
【００２５】
広帯域高周波増幅部１３は、入力部１２から入力されたＲＦ信号を増幅した後、広帯域分配部１５に出力する。広帯域分配部１５は、広帯域高周波増幅部１３で増幅されたＲＦ信号を２分配する。広帯域分配部５は、分配した一方の信号を入力部２から第一の高周波回路部１に入力する。広帯域分配部１５は、分配した他方の信号を入力部１０２から高周波回路部１０１に入力する。
【００２６】
高周波回路部１内の第一の周波数変換部４と高周波回路部１０１内の第一の周波数変換部１０４は、互いに異なるＲＦ信号のチャンネルを選択的にＩＦ信号に変換する。高周波回路部１内の第二の周波数変換部６と高周波回路部１０１内の第二の周波数変換部１０６は、ＩＦ信号を互いに異なる周波数（３２２ＭＨｚ以下）に周波数変換して出力する。第一の高周波回路部１は、出力信号を出力部８を経由して送信アンテナ１８に送信する。同様に、第二の高周波回路部１０１は、出力部１０８を経由して送信アンテナ１１８に出力信号を送信する。
【００２７】
第三の実施形態によれば、高周波信号伝送装置が複数段の高周波回路部を備えるため、その数に応じたチャンネルのＲＦ信号を周波数変換することができる。つまり、高周波信号伝送装置は、高周波回路部の数に応じて互いに異なる周波数の送信信号を送信できる。なお、図４は、高周波回路部と送信アンテナを２系統の例を示しているが、さらに多数化してもよい。
【００２８】
図５は、第四の実施形態に係る高周波信号伝送装置の構成を示すブロック図である。先に説明した構成と同様の構成については、同一番号を付して説明を省略する。高周波信号伝送装置は、高周波回路部１、入力部１２、広帯域高周波増幅部１３、広帯域分配部１４、送信アンテナ１８を備える。
【００２９】
広帯域高周波増幅部１３は、入力部１２から入力されたＲＦ信号を増幅した後、広帯域分配部１４に出力する。広帯域分配部１４は、広帯域高周波増幅部１３で増幅されたＲＦ信号を２分配する。広帯域分配部１４は、分配した一方の広帯域分配出力信号を入力部２から高周波回路部１に入力する。広帯域分配部１４は、分配した他方の広帯域分配出力信号をＴＶ受信機１６に入力する。ＴＶ受信機１６は、広帯域分配出力信号に基づいて通常のテレビジョン受信を行う。さらに、ユーザは、ＴＶ受信機１６のＲＦ信号のレベルをチェックする機能を用いてＲＦ信号の受信品位を確認できる。
【００３０】
ＴＶ受信機１６でＲＦ信号の受信品位を確認する理由は以下の通りである。高周波信号伝送装置から遠く離れて位置する図示しないテレビなどの受信装置が送信アンテナ１８からの送信信号を安定して受信するためには、入力部１２に入力されるＲＦ信号自体の品位が重要である。ＲＦ信号自体の品位が確保できない場合、送信アンテナ１８から受信装置までの距離を十分確保できない可能性があるためである。
【００３１】
したがって、ユーザは、ＴＶ受信機１６を使用して入力部１２に入力されるＲＦ信号の品位を確認する。そして、ユーザは、ＲＦ信号の品位が悪ければ、広帯域高周波増幅器１３の利得を切り替えて十分な信号品位を確保するように設定できる。広帯域高周波増幅器１３の利得の切り替えは、例えば、スイッチの切り替えなどによってなされる。
【００３２】
図６は、第四の実施形態に係る高周波信号伝送装置の構成の他の例を示すブロック図である。先に説明した構成と同様の構成については、同一番号を付して説明を省略する。高周波信号伝送装置は、高周波回路部１、入力部１２、広帯域高周波増幅部１３、広帯域分配部１４、広帯域分配部１５、送信アンテナ１８、高周波回路部１０１を備える。
【００３３】
広帯域高周波増幅部１３は、入力部１２から入力されたＲＦ信号を増幅した後、広帯域分配部１４に出力する。広帯域分配部１４は、広帯域高周波増幅部１３で増幅されたＲＦ信号を２分配する。広帯域分配部１４は、分配した一方の広帯域分配出力信号を広帯域分配部１５に入力する。広帯域分配部１５は、広帯域分配出力信号をさらに２分配する。広帯域分配部１５は、一方の広帯域分配出力信号を入力部２から高周波回路部１に入力する。他方の広帯域分配出力信号を入力部１０２から高周波回路部１０１に入力する。広帯域分配部１４は、分配した他方の広帯域分配出力信号をＴＶ受信機１６に入力する。
【００３４】
送信アンテナ１８から送信される送信信号の周波数と、送信アンテナ１１８から送信される送信信号の周波数が互いに異なる点は、図４に示す第三の実施形態と同様である。また、ＴＶ受信機１６を高周波信号伝送装置に接続する理由は、上記説明した通りである。なお、入力部２、入力部１０２、ＴＶ受信機１６に入力される広帯域分配信号の強度が同一であることが望ましい場合、広帯域分配部１４は、その信号の分配比率を適宜変更して設計するようにしてもよい。  
第四の実施形態によれば、高周波信号伝送装置に入力されるＲＦ信号自体の品位を確認できるため、送信アンテナ１８から送信される送信信号の品位を確保することができる。
【００３５】
図７は、第五の実施形態に係る高周波信号伝送装置の構成を示すブロック図である。先に説明した構成と同様の構成については、同一番号を付して説明を省略する。高周波信号伝送装置は、高周波回路部１、入力部１２、広帯域高周波増幅部１３、広帯域分配部１５、送信信号混合部１７、送信アンテナ１８、高周波回路部１０１を備える。
【００３６】
送信信号混合部１７は、一方の入力端子が高周波回路部１の出力部８と接続し、他方の入力端子が高周波回路部１０１の出力部１０８と接続する。送信信号混合部１７は、さらに送信アンテナ１８に接続されている。送信信号混合部１７は、高周波回路部１からの出力信号及び高周波回路部１０１からの互いに周波数の異なる出力信号を混合する。送信アンテナ１８は、複数の出力信号が混合された送信信号を送信する。
【００３７】
図８は、第五の実施形態に係る高周波信号伝送装置の構成の他の例を示すブロック図である。先に説明した構成と同様の構成については、同一番号を付して説明を省略する。高周波信号伝送装置は、高周波回路部１、入力部１２、広帯域高周波増幅部１３、広帯域分配部１４、広帯域分配部１５、送信信号混合部１７、送信アンテナ１８、高周波回路部１０１を備える。
【００３８】
広帯域高周波増幅部１３は、入力部１２から入力されたＲＦ信号を増幅した後、広帯域分配部１４に出力する。広帯域分配部１４は、広帯域高周波増幅部１３で増幅されたＲＦ信号を２分配する。広帯域分配部１４は、分配した一方の広帯域分配出力信号を広帯域分配部１５に入力する。広帯域分配部１５は、広帯域分配出力信号をさらに２分配する。広帯域分配部１５は、一方の広帯域分配出力信号を入力部２から高周波回路部１に入力する。他方の広帯域分配出力信号を入力部１０２から高周波回路部１０１に入力する。広帯域分配部１４は、分配した他方の広帯域分配出力信号をＴＶ受信機１６に入力する。ＴＶ受信機１６を高周波信号伝送装置に接続する理由は、上記説明した通りである。
【００３９】
送信信号混合部１７は、一方の入力端子が高周波回路部１の出力部８と接続し、他方の入力端子が高周波回路部１０１の出力部１０８と接続する。送信信号混合部１７は、さらに送信アンテナ１８に接続されている。送信信号混合部１７は、高周波回路部１からの出力信号及び高周波回路部１０１からの互いに周波数の異なる出力信号を混合する。送信アンテナ１８は、複数の出力信号が混合された送信信号を送信する。
【００４０】
第五の実施形態によれば、高周波信号伝送装置が複数段の高周波回路部を備えていたとしても、これらから出力される互いに周波数の異なる複数の出力信号を混合した１つの送信信号を１つの送信アンテナ１８から送信することができる。したがって、高周波信号伝送装置は、高周波回路部の数と同じ数の送信アンテナを設ける必要がなくなる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１…高周波回路部、２…入力部、３…利得制御部、４…第一の周波数変換部、５…利得制御部、６…第二の周波数変換部、７…出力信号分配部、８…出力部、９…レベル検出部、１０…第一の局部発振部、１１…第二の局部発振部、１２…入力部、１３…広帯域高周波増幅部、１４…広帯域分配部、１５…広帯域分配部、１６…ＴＶ受信機、１７…送信信号混合部、１８…送信アンテナ、１０１…高周波回路部、１０２…入力部、１０３…利得制御部、１０４…第一の周波数変換部、１０５…利得制御部、１０６…第二の周波数変換部、１０７…出力信号分配部、１０８…出力部、１０９…レベル検出部、１１０…第一の局部発振部、１１１…第二の局部発振部、１１８…送信アンテナ。
【図１】
2012015814.tif 000003
【図２】
2012015814.tif 000004
【図３】
2012015814.tif 000005
【図４】
2012015814.tif 000006
【図５】
2012015814.tif 000007
【図６】
2012015814.tif 000008
【図７】
2012015814.tif 000009
【図８】
2012015814.tif 000010